(57)【要約】【課題】  製造性に優れ、信頼性の高い電力ケーブルの接続部に用いられる常温収縮型ゴムユニット等を提供する。【解決手段】  常温収縮型ゴムユニット２０は、主に、ストレスコーン層２１、ゴム部材２３、内部半導電膜２５、補強絶縁層２７、外部半導電層２９等から構成される。常温収縮型ゴムユニット２０は、全体として弾性を有する略筒状の部材である。ゴム部材２３および内部半導電膜２５は、それぞれ半導電性のゴム材料からなる。内部半導電膜２５は、一対のゴム部材２３の内面およびゴム部材２３同士の間において、常温収縮型ゴムユニット２０の内面側に形成される。ゴム部材２３および内部半導電膜２５を合わせて内部半導電層を形成する。【選択図】図１
2015061480.tif 000002
【特許請求の範囲】
【請求項１】
電力ケーブル接続用の常温収縮型ゴムユニットであって、
内部半導電層と、
前記内部半導電層を覆う補強絶縁層と、が一体で形成され、
前記内部半導電層は、成形体であって、互いに離隔して配置される一対のゴム部材と、一方の前記ゴム部材の内面から他方の前記ゴム部材の内面に亘って半導電性ゴム塗料が塗布されて形成される内部半導電膜部と、を具備することを特徴とする常温収縮型ゴムユニット。
【請求項２】
電力ケーブル接続用の常温収縮型ゴムユニットの製造方法であって、
ゴム部材を成形する工程と、
一対の前記ゴム部材を互いに離間して配置して補強絶縁層用金型内に設置し、前記補強絶縁層用金型内に絶縁材料を充填して補強絶縁層を形成する工程と、
前記補強絶縁層用金型を外した後、一方の前記ゴム部材の内面から他方の前記ゴム部材の内面に亘って、半導電性ゴム塗料を塗布して内部半導電膜部を形成する工程と、
を具備することを特徴とする常温収縮型ゴムユニットの製造方法。
【請求項３】
前記ゴム部材は、軸方向に対して分割可能な金型によって製造され、
前記補強絶縁層用金型内に設置する前に、前記金型の合わせ面のバリを除去することを特徴とする請求項２記載の常温収縮型ゴムユニットの製造方法。
【請求項４】
前記半導電性ゴム塗料は、前記ゴム部材を構成するゴム材料を溶剤で希釈して塗布することを特徴とする請求項２または請求項３に記載の常温収縮型ゴムユニットの製造方法。
【請求項５】
前記内部半導電膜部を形成する工程において、前記内部半導電膜部を形成する箇所以外にマスク部材を予め配置した後、前記半導電性ゴム塗料を塗布することを特徴とする請求項２から請求項４のいずれかに記載の常温収縮型ゴムユニットの製造方法。
【請求項６】
請求項１記載の常温収縮型ゴムユニットを用いた電力ケーブルの接続構造であって、
導体部の外周に絶縁層が設けられた一対の前記電力ケーブルが対向して配置され、前記導体部同士がスリーブにより接続された箇所の外周に、常温収縮型ゴムユニットの前記内部半導電膜部が位置するように常温収縮型ゴムユニットが配置されていることを特徴とする電力ケーブルの接続構造。
【発明の詳細な説明】
【技術分野】
【０００１】
本発明は、電力ケーブルの接続部に用いられる常温収縮型ゴムユニットと、その製造方法、およびこれを用いた電力ケーブルの接続構造に関するものである。
【背景技術】
【０００２】
従来、電力ケーブルの接続部の外周には、常温収縮型ゴムユニットが取り付けられる。このような、常温収縮型ゴムユニットとしては、例えば、絶縁ゴムからなる円筒状の補強絶縁層と、半導電ゴムからなる内部半導電層およびストレスコーン層が一体で成形された常温収縮型ゴムユニットがある（例えば特許文献１）。
【先行技術文献】
【特許文献】
【０００３】
【特許文献１】特開２００９−３３９６０号公報
【発明の概要】
【発明が解決しようとする課題】
【０００４】
図７に示すように、従来の常温収縮型ゴムユニット１００は、一対のストレスコーン層１０１、内部半導電層１０５、補強絶縁層１０７、外部半導電層１０９等から構成される。ストレスコーン層１０１、内部半導電層１０５および外部半導電層１０９は、いずれも半導電性ゴムからなる。また、補強絶縁層１０７は、絶縁性ゴムからなる。常温収縮型ゴムユニット１００は、全体として、略筒状の部材である。
【０００５】
内部半導電層１０５は、接続される電力ケーブルの導体接続部の外周に位置する部位である。内部半導電層１０５と、ストレスコーン層１０１および外部半導電層１０９とは、補強絶縁層１０７を介して一体化され、互いに導通しない。
【０００６】
常温収縮型ゴムユニット１００の内径は、使用対象の電力ケーブルのケーブル径よりも小さい。また、常温収縮型ゴムユニット１００は、全体として弾性を有する材料からなる。常温収縮型ゴムユニット１００は、拡径部材で拡径された状態で電力ケーブルの接続部に配置され、その後拡径部材が除去されることにより、当該接続部の外周面に密着する。常温収縮型ゴムユニット１００は、それ自体のゴム弾性により縮径する力を発揮するので、これにより補強絶縁層１０７と電力ケーブルの絶縁部との界面における界面絶縁性能を確保することができる。
【０００７】
このような、常温収縮型ゴムユニット１００は、例えば以下のようにして製造される。まず、内部半導電層１０５およびストレスコーン層１０１を成形する。内部半導電層１０５およびストレスコーン層１０１は、それぞれ、金型内に液状または粘土状の半導電性ゴムを注入し、加熱および加圧をすることで成形することができる。また、芯金にゴム原料を巻付け、金型に挟み込んだ状態で加熱および加圧して成形することもできる。
【０００８】
成形された内部半導電層１０５およびストレスコーン層１０１から、成形時に生じたバリを研磨除去する。その後、内部半導電層１０５およびストレスコーン層１０１を補強絶縁層用の金型内にセットする。さらに、液状の絶縁ゴムを金型に注入し、金型内で加熱および加圧をすることにより、内部半導電層１０５およびストレスコーン層１０１と一体で補強絶縁層１０７が成形される。
【０００９】
成形された補強絶縁層１０７から、成形時に生じたバリを研磨した後、補強絶縁層１０７等を外部半導電層用の金型内にセットする。この後、液状の半導電性ゴムを金型に注入し、金型内で加熱および加圧をすることにより、外部半導電層１０９が成形される。
なお、外部半導電層１０９は、補強絶縁層１０７の外面に半導電塗料を塗布することにより形成することもできる。以上により、一対のストレスコーン層１０１、内部半導電層１０５、補強絶縁層１０７、外部半導電層１０９を一体にした常温収縮ゴムユニット１００を製造することができる。
【００１０】
このような、常温収縮ゴムユニット１００は、高電圧で使用される。このため、異物等が混入すると、異物を起点として絶縁破壊を生じる恐れがある。したがって、製造時においては、異物が混入しないように、十分な対策を取る必要がある。特に、内部半導電層１０５の表面は、電界が高いため、異物の付着に対しては十分な注意が必要である。
【００１１】
前述の通り、内部半導電層１０５は、金型で成形した時に生じたバリを除去するために研磨が行われる。一方、金型成型においては、成型品が大きいほど、成形装置の型締め能力の限界、金型内でのゴム材料の膨張等により、金型の合わせ目に生じるバリが厚くなる傾向にある。したがって、研磨による除去が難しくなる。また、成型品が大きいほど、ゴム材料を金型に充填させるために、より大きな注入部や、複数の注入部を設ける必要がある。したがって、成型品のサイズが大きいと、このような注入部に生じるバリの除去が困難となる。
【００１２】
このようにバリ等が大きくなると、研磨除去するのに時間を要する。また、研磨後の表面には、微小な凹凸が形成される。したがって、この凹凸に研磨カスなどが付着する恐れがある。このような、研磨カス等の付着は、前述したように、電気的な弱点となり得るため望ましくない。しかし、内部半導電層１０５の大きさは、電力ケーブルの接続部のサイズに応じて設定されるため、単純に小さくすることはできない。
【００１３】
本発明は、このような問題に鑑みてなされたもので、製造性に優れ、信頼性の高い常温収縮型ゴムユニット等を提供することを目的とする。
【課題を解決するための手段】
【００１４】
前述した目的を達成するため、第１の発明は、電力ケーブル接続用の常温収縮型ゴムユニットであって、内部半導電層と、前記内部半導電層を覆う補強絶縁層と、が一体で形成され、前記内部半導電層は、成形体であって、互いに離隔して配置される一対のゴム部材と、一方のゴム部材の内面から他方のゴム部材の内面に亘って半導電性ゴム塗料が塗布されて形成される内部半導電膜部と、を具備することを特徴とする常温収縮型ゴムユニットである。
【００１５】
このような構成とすることで、内部半導電層を、小型のゴム部材を用いて形成することができる。すなわち、ゴム部材が小型であるため、金型の合わせ目に生じるバリを薄くすることができる。また、ゴム部材が小型であるため、金型に対するゴム材料の注入部のサイズを小さくすることができる。このため、注入部の痕を小さくすることができる。したがって、バリ等の除去作業が容易となり、研磨カス等の付着も抑制することができる。
【００１６】
第２の発明は、電力ケーブル接続用の常温収縮型ゴムユニットの製造方法であって、ゴム部材を成形する工程と、一対の前記ゴム部材を互いに離間して配置して補強絶縁層用金型内に設置し、前記補強絶縁層用金型内に絶縁材料を充填して補強絶縁層を形成する工程と、前記補強絶縁層用金型を外した後、一方のゴム部材の内面から他方のゴム部材の内面に亘って、半導電性ゴム塗料を塗布して内部半導電膜部を形成する工程を具備することを特徴とする常温収縮型ゴムユニットの製造方法である。
【００１７】
このような構成とすることで、一対のゴム部材を金型によりそれぞれ成形すれば良いため、従来のような内部半導電層を一体で成形する場合と比較して、バリを薄くすることができる。したがって、バリの除去作業性に優れる。
【００１８】
前記ゴム部材は、軸方向に対して分割可能な金型によって製造され、前記補強絶縁層用金型内に設置する前に、前記金型の合わせ面のバリを除去することが望ましい。
【００１９】
このような構成とすることで、金型の合わせ面がゴム部材の周方向に形成される。したがって、ゴム部材に生じるバリが、それぞれの外周面の周方向に一列に形成される。このため、例えば、ゴム部材を軸に対して回転させながら研磨することで、容易にバリを除去することができる。
【００２０】
前記半導電性ゴム塗料は、前記ゴム部材を構成するゴム材料を溶剤で希釈して塗布することが望ましい。
【００２１】
このような構成とすることで、半導電性ゴム塗料とゴム部材との接着性が向上する。また、両者のゴム伸長時の弾性特性等を合わせることができる。したがって、内部半導電膜部がゴム部材に対して剥離することを防止することができる。
【００２２】
前記内部半導電膜部を形成する工程において、内部半導電膜部を形成する箇所以外に前記半導電性ゴム塗料が付着しないように、マスク部材を予め配置した後、前記半導電性ゴム塗料を塗布することが望ましい。
【００２３】
このような構成とすることで、ゴム部材とストレスコーン層との間に、半導電性ゴム塗料が付着することが無い。したがって、内部半導電層とストレスコーン層とが導通することを防止することができる。
【００２４】
前述した目的を達成するため、第３の発明は、第１の発明にかかる常温収縮型ゴムユニットを用いた、電力ケーブルの接続構造であって、導体部の外周に絶縁層が設けられた一対の前記電力ケーブルが対向して配置され、前記導体部同士がスリーブにより接続された箇所の外周に、常温収縮型ゴムユニットの前記内部半導電膜部が位置するように常温収縮型ゴムユニットが配置されていることを特徴とする電力ケーブルの接続構造である。
【００２５】
このような構成とすることで、電力ケーブルの接続部を確実に保護し、絶縁破壊等の発生を防止することができる。
【発明の効果】
【００２６】
本発明によれば、製造性に優れ、信頼性の高い電力ケーブルの接続部に用いられる常温収縮型ゴムユニット等を提供することができる。
【図面の簡単な説明】
【００２７】
【図１】電力ケーブル接続構造１を示す断面図。
【図２】ゴム部材２３を成形する工程を示す図。
【図３】ストレスコーン層２１を成形する工程を示す図。
【図４】補強絶縁層２７を成形する工程を示す図。
【図５】内部半導電膜２５を設けた状態を示す図。
【図６】外部半導電層２９を設けた状態を示す図。
【図７】従来の常温収縮型ゴムユニット１００を示す断面図。
【発明を実施するための形態】
【００２８】
以下、本発明の実施の形態にかかる電力ケーブルの接続構造１について説明する。図１に示すように、電力ケーブルの接続構造１は、一対の電力ケーブル３ａ、３ｂの接続部が、常温収縮型ゴムユニット２０によって被覆された構造である。
【００２９】
電力ケーブル３ａ、３ｂは、導体部５、絶縁層７、外部半導電層９、および遮蔽層等から構成される。電力ケーブル３ａ、３ｂの先端部は、絶縁層７等が順次段剥ぎされ、先端に導体部５が露出するように加工されている。
【００３０】
電力ケーブル３ａ、３ｂのそれぞれの導体部５は、金属製の筒状のスリーブ１３の両端に挿入される。このスリーブ１３をかしめることで、導体部５同士がスリーブ１３によって固定されて接続される。
【００３１】
常温収縮型ゴムユニット２０は、主に、ストレスコーン層２１、ゴム部材２３、内部半導電膜２５、補強絶縁層２７、外部半導電層２９等から構成される。常温収縮型ゴムユニット２０は、全体として弾性を有する略筒状の部材である。ゴム部材２３および内部半導電膜２５は、それぞれ半導電性のゴム材料からなる。内部半導電膜２５は、一対のゴム部材２３の内面およびゴム部材２３同士の間において、常温収縮型ゴムユニット２０の内面側に形成される。ゴム部材２３および内部半導電膜２５を合わせて内部半導電層を構成する。
【００３２】
内部半導電層と同軸上であって、常温収縮型ゴムユニット２０の両端部には、ゴム部材２３と離隔するように一対のストレスコーン層２１が設けられる。ストレスコーン層２１も半導電性のゴム材料からなる。ストレスコーン層２１と内部半導電層とは、補強絶縁層２７によって一体化される。補強絶縁層２７は、内部半導電層およびストレスコーン層２１の外周を覆うように形成されている。内部半導電層とストレスコーン層２１とに挟まれた箇所の内周面には、補強絶縁層２７が露出している。補強絶縁層２７の外周面には、外部半導電層２９が形成される。外部半導電層２９は、半導電性のゴム材料で構成される。外部半導電層２９の端部はストレスコーン層２１と接触しており、これにより両者は導通している。
【００３３】
電力ケーブル３ａ、３ｂに装着された状態で、常温収縮型ゴムユニット２０のゴム部材２３は、電力ケーブル３ａ、３ｂの絶縁層７の外周に位置する。内部半導電膜２５は、導体部５およびスリーブ１３の外周部に位置する。導体部５およびスリーブ１３の外周には、図示を省略した半導電テープが巻かれており、内部半導電膜２５はこの半導電テープに接している。
また、ストレスコーン層２１は、電力ケーブル３ａ、３ｂの絶縁層７と外部半導電層９に跨って位置する。
【００３４】
ここで、常温収縮型ゴムユニット２０の定常状態（力が付与されていない状態）における内径は、電力ケーブル３ａ、３ｂの絶縁層７の部分の外径よりも小さい。常温収縮型ゴムユニット２０は、弾性変形可能なゴム材料により形成されており、電力ケーブルより大径の拡径部材を挿入することにより拡径した状態で、電力ケーブル３ａ、３ｂの接続部外周に配置する。その後、拡径部材を取り除き、常温収縮型ゴムユニット２０を収縮させる。常温収縮型ゴムユニット２０の内面は、収縮力により、電力ケーブル３ａ、３ｂの外周面に密着する。
【００３５】
次に、常温収縮型ゴムユニット２０の製造方法について説明する。まず、図２（ａ）に示すように、金型３１ａ、３１ｂの間に、半導電性のゴム材料を注入し、加熱および加圧することでゴム部材２３を成形する。図２（ｂ）に示すように、金型３１ａ、３１ｂを開くことで、ゴム部材２３を取り出すことができる。ここで、金型３１ａ、３１ｂは、ゴム部材２３の軸方向（筒状のゴム部材２３の貫通孔方向）に分割が可能である。したがって、金型３１ａ、３１ｂの合わせ面は、ゴム部材２３の外面周の周方向に形成される。このため、バリが生じる場合、当該合わせ面に対応した外周面の周方向に生じる。図中３３は、生じたバリである。
【００３６】
同様に、ストレスコーン層２１は、図３（ａ）に示すように、金型３５ａ、３５ｂの間に、半導電性のゴム材料を注入して加熱および加圧することで成形される。図３（ｂ）に示すように、金型３５ａ、３５ｂを開くことで、ストレスコーン層２１を取り出すことができる。ここで、金型３５ａ、３５ｂは、ストレスコーン層２１の軸方向（筒状のストレスコーン層２１の貫通孔方向）に分割が可能である。したがって、金型３５ａ、３５ｂの合わせ面は、ストレスコーン層２１の外面周の周方向に形成される。このため、バリが生じる場合、当該合わせ面に対応して、ストレスコーン層２１外周面の周方向に生じる。図中３７は、生じたバリである。
【００３７】
得られたゴム部材２３およびストレスコーン層２１は、外周面に生じたバリ３３、３７が研磨によって除去される。この際、従来の内部半導電層１０５（図７）と比較して、ゴム部材２３は小型であり、用いられる金型も小型であるから、金型へのゴム材料の注入量も少なくてすむ。したがって、注入部を小型化することができるとともに、成形時には余力を持って型締めでき、かつ金型内でのゴム材料の膨張等の影響も小さいため、生じるバリ３３、３７を薄くすることができる。
【００３８】
また、バリ３３、３７は、ゴム部材２３、ストレスコーン層２１の外周面の周方向に一列に形成される。したがって、ゴム部材２３およびストレスコーン層２１の中空部を回転軸として回転させながら研磨すれば、容易にバリ３３、３７を研磨することができる。したがって、バリ３３、３７は、最低限の研磨代で除去が可能であり、確実に除去することができる。
【００３９】
次に、図４（ａ）に示すように、得られたゴム部材２３およびストレスコーン層２１を貫通するように丸棒状の中子３９ｃを設置し、これを金型３９ａ、３９ｂ内に配置する。なお、ゴム部材２３は、内部半導電層を形成すべき範囲の両端部に配置される。またゴム部材２３とストレスコーン層２１は、離間して配置される。この状態で、金型３９ａ、３９ｂ内に絶縁性のゴム材料を注入し、加熱および加圧をすることで、図４（ｂ）に示すように、補強絶縁層２７が形成される。すなわち、補強絶縁層２７によって、ゴム部材２３およびストレスコーン層２１が一体化される。
【００４０】
次に、図５に示すように、一方のゴム部材２３の内面から他方のゴム部材２３の内面に亘って、すなわち、ゴム部材２３の内周面およびゴム部材２３同士の間の補強絶縁層２７の内周面に、半導電性ゴム塗料を塗布し、加熱・乾燥させることで、内部半導電膜２５を形成する。ゴム部材２３と内部半導電膜２５は一部が重なっているだけであってもよい。ここで、半導電性ゴム塗料としては、ゴム部材２３を構成するゴム材料を、例えば炭化水素系の溶剤によって塗布可能な粘度となるまで希釈したものが望ましい。このように、ゴム部材２３を構成するゴム材料と、内部半導電膜２５を構成するゴム材料を同じくすることで、内部半導電膜２５とゴム部材２３との接着性が向上する。より望ましくは、さらに補強絶縁層２７も同じような弾性特性を有した絶縁性のゴム材料で形成すると良い。これらの弾性特性を同一もしくは近似させることで、変形時の剥離等を防止することができる。
なお、前記ゴム材料としては、シリコーンゴム、エチレン-プロピレンゴム等が用いられる。
【００４１】
なお、半導電性ゴム塗料の塗布は、刷毛塗りであってもよいが、刷毛目の発生を防止するためには、スプレーガンを用いることが望ましい。この際、内部半導電膜２５の形成時には、予め、ゴム部材２３とストレスコーン層２１との間に、パイプ等のマスク部材を設けておくことが望ましい。半導電性ゴム塗料が、ゴム部材２３とストレスコーン層２１との間の部分に付着すると、十分な絶縁性を確保することができないためである。
【００４２】
次に、図６（ａ）に示すように、補強絶縁層２７の外周面に外部半導電層２９を設けることで、常温収縮型ゴムユニット２０が完成する。なお、外部半導電層２９は、前述した半導電性ゴム塗料を、ストレスコーン層２１と接触するように、補強絶縁層２７の外周面の全体に塗布して形成することができる。
なお、補強絶縁層２７を成形した後、これをさらに外部半導電層成形用の金型内に設置して、半導電性のゴム材料を注入し、加熱および加圧をすることで外部半導電層２９を成形してもよい。
【００４３】
外部半導電層２９は、補強絶縁層２７の外周面の全面に形成しない場合もある。例えば、図６（ｂ）に示すように、両端のストレスコーン層２１同士が導通しないように、補強絶縁層２７の一部に、周方向に外部半導電層２９を形成しない部位を設けてもよい。この場合も、外部半導電層２９は、半導電性ゴム塗料の塗布または成形法によって形成できる。
【００４４】
以上、本実施の形態によれば、内部半導電層が、一対のゴム部材２３と内部半導電膜２５とにより構成される。このため、従来のように、内部半導電層を形成するために、電力ケーブル３ａ、３ｂの導体接続部を被覆するサイズの成形品を製造する必要が無い。すなわち、内部半導電層の一部を構成するだけのゴム部材２３を成形すればよい。このゴム部材２３を成形する金型は小型で良いから、合わせ面に生じるバリ３３も薄くできる。また、ゴム材料を注入するための孔も小さくできる。
【００４５】
また、従来の内部半導電層１０５は、長い筒状であるため、金型は、周方向に分割するように形成される。これは、軸方向に分割するようにすると、金型が過剰に深くなり、成形後の製品の型外しも困難となるためである。したがって、従来の内部半導電層１０５の成形金型は、金型の合わせ面が軸方向となる。このため、従来の内部半導電層１０５は、外周面の軸方向に２本のバリが生じる。したがって、バリを除去するためには、成形した内部半導電層１０５の外周面を軸方向に研磨する必要がある。
【００４６】
これに対し、本発明では、ゴム部材２３のバリ３３は外周面の周方向に一列形成されるのみである。バリ３３が周方向に発生するので、ゴム部材２３を回転させてバリ３３の発生部分のみを研磨してバリを除去することができる。このため、研磨作業が短縮化され、研磨代も少なくてよい。したがって、研磨作業性に優れるとともに、研磨カスの発生も少ない。
【００４７】
また、本発明では、内部半導電層の中央部は、内部半導電膜２５により形成される。したがって、絶縁性ゴムよりも高価な半導電性ゴム材料の使用量を、従来と比較して減らすことができる。一方、内部半導電層において最も電界分布が集中する端部近傍は、ゴム部材２３によって形成されるため、絶縁の弱点となることがない。
【００４８】
また、内部半導電膜２５を構成する半導電性ゴム塗料として、ゴム部材２３を構成する半導電性ゴム材料と同一材料を希釈したものを用いることで、ゴム部材２３と内部半導電膜２５とを確りと接着できる。また、弾性変形させた際の、弾性特性が近似するため、変形時の剥離等を防止することができる。
【００４９】
また、内部半導電膜２５を形成する際、マスク部材を用いることで、ゴム部材２３とストレスコーン層２１との間に半導電性ゴムが付着して常温収縮型ゴムユニットの絶縁性能が損なわれることを防止することができる。
【００５０】
以上のように、本発明の常温収縮型ゴムユニット２０は、製造性に優れ、バリの影響も小さいため、常温収縮型ゴムユニット２０を用いることで、従来と同等以上の性能を有する電力ケーブルの接続構造１を得ることができる。
【００５１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
例えば、ストレスコーン層２１を設ける代わりに、両端部を徐々に細くなるテーパー状に形成して、両端部の電界緩和を図ったタイプの常温収縮型ゴムユニットも本発明の技術的範囲に属する。
【符号の説明】
【００５２】
１………電力ケーブルの接続構造
３ａ、３ｂ………電力ケーブル
５………導体部
７………絶縁層
９………外部半導電層
１３………スリーブ
２０、２０ａ………常温収縮型ゴムユニット
２１………ストレスコーン層
２３………ゴム部材
２５………内部半導電膜
２７………補強絶縁層
２９………外部半導電層
３１ａ、３１ｂ、３５ａ、３５ｂ、３９ａ、３９ｂ………金型
３３、３７………バリ
３９ｃ………中子
１００………常温収縮型ゴムユニット
１０１………ストレスコーン層
１０５………内部半導電層
１０７………補強絶縁層
１０９………外部半導電層
【図１】
2015061480.tif 000003
【図２】
2015061480.tif 000004
【図３】
2015061480.tif 000005
【図４】
2015061480.tif 000006
【図５】
2015061480.tif 000007
【図６】
2015061480.tif 000008
【図７】
2015061480.tif 000009